(57)【特許請求の範囲】
【請求項１】
電源と；
前記電源を収容するための本体と；
前記本体に組み付けられており、治療のために鼻の中に挿入できるように形成された一対の挿入ロッドと；
少なくとも一つの感知光源と；
少なくとも一つの受光部と；
前記一対の挿入ロッドに形成される少なくとも一つの治療光源と；
前記本体内に収納され、前記電源、前記少なくとも一つの感知光源、前記少なくとも一つの受光部及び前記少なくとも一つの治療光源に連結されている制御部を含み、
前記少なくとも一つの感知光源の位置は前記一対の挿入ロッドのいずれか一方の内側面に形成され、前記少なくとも一つの受光部の位置は前記一対の挿入ロッドのいずれか他方の内側面に形成されて前記少なくとも一つの感知光源に対応され、それによって前記少なくとも一つの受光部が前記感知光源からの光を受信することができ、
前記制御部は、前記電源がオン（ＯＮ）の時に前記感知光源が光を発生するようにし、前記電源がオン（ＯＮ）であって前記受光部で検出される光量が予め定められた基準光量未満または以下の時に前記少なくとも一つの治療光源が光を発生するようにする、
鼻炎治療器。
【請求項２】
前記少なくとも一つの治療光源は、少なくとも一つのレーザーダイオードを含む、請求項１に記載の鼻炎治療器。
【請求項３】
前記治療光源は、少なくとも一つのＬＥＤを含む、請求項１に記載の鼻炎治療器。
【請求項４】
前記治療光源は、前記受光部から検出される光量が前記基準光量の未満または以下の時は、予め定められた第１光量の強さで出力し、前記基準光量以上または超過した時は、予め定められた第２光量の強さで出力し、前記第１光量の強さは前記第２光量の強さよりも弱い、請求項２または請求項３に記載の鼻炎治療器。
【請求項５】
前記鼻炎治療器は、前記電源をオン／オフ（ＯＮ／ＯＦＦ）させるための電源スイッチをさらに含む、請求項４に記載の鼻炎治療器。
【請求項６】
前記鼻炎治療器は通信モジュールをさらに含み、前記通信モジュールを通して外部機器から前記電源をオン／オフ（ＯＮ／ＯＦＦ）させるための信号を受信して前記制御部に伝送する、請求項４に記載の鼻炎治療器。
【請求項７】
前記鼻炎治療器は、前記本体のうち前記一対の挿入ロッドが形成されている側と反対の側面に形成された電源表示部をさらに含み、
前記電源表示部は複数のＬＥＤ表示素子を含み、
前記制御部は、前記電源がオン（ＯＮ）の時に前記複数のＬＥＤ表示素子が持続的にまたは予め定められたパターンによって発光するようにする、請求項４に記載の鼻炎治療器。
【請求項８】
前記感知光源から出力される光は、前記一対の挿入ロッドの長手方向に垂直に及び／または斜めに広げられる形態で発光される、請求項４に記載の鼻炎治療器。
【請求項９】
本体と；
前記本体上に形成され、使用者操作によって電源をオン／オフ（ＯＮ／ＯＦＦ）させるための電源スイッチと；
前記本体に組み付けられており、治療のために鼻の中に挿入できるように形成された一対の挿入ロッドと；
前記一対の挿入ロッドに形成される少なくとも一つの治療光源と；
前記本体内に収納され、電源及び前記少なくとも一つの治療光源に連結されている制御部を含み、
前記制御部は、前記電源スイッチからオン（ＯＮ）信号を受信した後、予め定められた基準時間経過後、前記少なくとも一つの治療光源が光を発生するようにする、
鼻炎治療器。
【請求項１０】
前記少なくとも一つの治療光源は、少なくとも一つのレーザーダイオードを含む、請求項９に記載の鼻炎治療器。
【請求項１１】
前記少なくとも一つの治療光源は、少なくとも一つのＬＥＤを含む、請求項９に記載の鼻炎治療器。
【請求項１２】
前記鼻炎治療器は、
前記一対の挿入ロッドのいずれか一方の内側面に形成されている少なくとも一つの感知光源と；
前記一対の挿入ロッドのいずれか他方の内側面に形成されて前記感知光源からの光を受信することができる少なくとも一つの受光部をさらに含み、
前記制御部は、前記電源スイッチがオン（ＯＮ）であると、前記感知光源が発光するようにし、前記電源スイッチがオン（ＯＮ）であって前記基準時間が経過されて、前記少なくとも一つの受光部で検出される光が予め定められた基準光量未満または以下の場合に前記治療光源が発光するように制御する、請求項１０または請求項１１に記載の鼻炎治療器。
【請求項１３】
前記制御部は、
前記感知光源が、前記電源スイッチがオンされた後、前記基準時間が経過せず、前記受光部から検出される光量が前記基準光量以上または超過した時は、予め定められた第１光量の強さで出力するように制御し、前記電源スイッチがオンされた後、前記基準時間が経過し、前記受光部から検出される光量が前記基準光量未満または以下の時は、予め定められた第２光量の強さで出力するように制御し、ここで、前記第１光量の強さは前記第２光量の強さよりも弱い、請求項１２に記載の鼻炎治療器。
【請求項１４】
前記鼻炎治療器は、前記本体のうち前記一対の挿入ロッドが形成されている側と反対の側面に形成された電源表示部をさらに含み、
前記電源表示部は複数のＬＥＤ表示素子を含み、
前記制御部は、前記電源がオン（ＯＮ）の時に前記複数のＬＥＤ表示素子が持続的にまたは予め定められたパターンによって発光するようにする、請求項９に記載の鼻炎治療器。
【発明の詳細な説明】
【技術分野】
【０００１】
本発明は鼻炎治療器に関し、より具体的には光を用いた鼻炎治療器及び鼻炎治療器の制御方法に関する。
【背景技術】
【０００２】
微小粒子状物質の増加などの環境的な要因によって鼻炎患者が増加する傾向がある。鼻炎を治療するための多様な方法が提案されており、そのような治療方法の中の一つは光を用いることである。光を用いた鼻炎治療器としては、大韓民国特許公報第１０−０９８７７２９号「ＬＥＤを用いた鼻炎治療器」、大韓民国特許公開公報第１０−２０１４−００８７１９５号「鼻炎治療のための制御アプリケーションと、これを適用したアンドロイドＯＳ基盤の携帯通信端末機」及び、大韓民国特許公報第１０−０９７７９８５号「鼻炎治療用多波長レーザー照射器」などがある。
【０００３】
このような鼻炎治療器は、いずれも光を照射して鼻炎を治療するためのものである。ところが、鼻は目と非常に近接した位置にあるので、鼻炎治療のために照射されるべき光が目に直接照射される場合には、目に損傷を与える恐れがある。また、鼻炎治療器を制御する過程で、鼻に挿入されていない状態で光の電源が作動されて、光が目に直接照射される場合など目を損傷させる可能性がある。
【発明の概要】
【発明が解決しようとする課題】
【０００４】
本発明の解決しようとする課題は、光を用いた鼻炎治療器を使用する過程で、意図しない光の照射によって鼻に近接した目が損傷される可能性を低くすることができる鼻炎治療器及びその制御方法を提供することである。
【課題を解決するための手段】
【０００５】
本発明の一観点によれば、電源と；少なくとも前記電源を収容するための本体と；前記本体に組み付けられており、治療のために鼻の中に挿入できるように形成された一対の挿入ロッドと；前記一対の挿入ロッドのいずれか一方の内側面に形成されている少なくとも一つの感知光源と；前記一対の挿入ロッドのいずれか他方の内側面に形成されて前記感知光源からの光を受信することができる少なくとも一つの受光部と；前記一対の挿入ロッドに形成される少なくとも一つの治療光源と；前記本体内に収納されて前記電源、前記少なくとも一つの感知光源、前記少なくとも一つの受光部及び前記少なくとも一つの治療光源に連結されている制御部を含むが、前記制御部は前記電源がオン（ＯＮ）の時に前記感知光源が光を発生するようにし、前記電源がオン（ＯＮ）であって前記受光部で検出される光量が予め定められた基準光量未満または以下の時に前記少なくとも一つの治療光源が光を発生するようにする、鼻炎治療器が提供される。ここで、前記「電源がオン（ＯＮ）の時に」という意味は、使用者によって鼻炎治療が始まることを意味する。
【０００６】
前記少なくとも一つの治療光源は、少なくとも一つのレーザーダイオードであることもでき、少なくとも一つのＬＥＤであることもでき、レーザーダイオードとＬＥＤの組み合わせであることもできる。好ましい実施例において、前記感知光源は、前記受光部から検出される光量が前記基準光量の未満または以下の時は、予め定められた第１光量の強さで出力し、前記基準光量以上または超過した時は、予め定められた第２光量の強さで出力するが、前記第１光量の強さは前記第２光量の強さよりも弱い。好ましい実施例において、前記鼻炎治療器は、前記電源をオン／オフ（ＯＮ／ＯＦＦ）させるための電源スイッチをさらに含むことができる。また、前記鼻炎治療器は通信モジュールをさらに含み、前記通信モジュールを通して外部素子から前記電源をオン／オフ（ＯＮ／ＯＦＦ）させるための信号を受信して前記制御部に伝送することもできる。別の好ましい実施例において、前記鼻炎治療器は、前記本体のうち前記一対の挿入ロッドが形成されている側と反対の側面に形成された電源表示部をさらに含むことができる。前記電源表示部は、複数のＬＥＤ表示素子を含み、前記制御部は前記電源がオン（ＯＮ）の時に前記複数のＬＥＤ表示素子が持続的にまたは予め定められたパターンによって発光するようにすることができる。好ましい別の実施例によれば、前記感知光源から出力される光は、前記一対の挿入ロッドの長手方向に実質的に垂直に及び／または斜めに広げられる形態で発光することができる。これは製造上発生する公差または使用上発生し得るズレを補正するためのものである。
【０００７】
本発明の別の観点によれば、本体と；前記本体上に形成され、使用者操作によって電源をオン／オフ（ＯＮ／ＯＦＦ）させるための電源スイッチと；前記本体に組み付けられており、治療のために鼻の中に挿入できるように形成された一対の挿入ロッドと；前記一対の挿入ロッドに形成される少なくとも一つの治療光源と；前記本体内に収納され、電源及び前記少なくとも一つの治療光源に連結されている制御部を含むが、前記制御部は、前記電源スイッチからオン（ＯＮ）信号を受信した後、予め定められた基準時間経過後、前記少なくとも一つの治療光源が光を発生するようにする、鼻炎治療器が提供される。好ましい実施例によれば、前記少なくとも一つの治療光源はレーザーダイオード、ＬＥＤまたはこれらの組み合わせであることができる。好ましい実施例において、鼻炎治療器は前記一対の挿入ロッドのいずれか一方の内側面に形成されている少なくとも一つの感知光源と；前記一対の挿入ロッドのいずれか他方の内側面に形成されて前記感知光源からの光を受信することができる少なくとも一つの受光部をさらに含み、前記制御部は、前記電源スイッチがオン（ＯＮ）であると、前記感知光源が発光するようにし、前記電源スイッチがオン（ＯＮ）であって前記基準時間が経過されて、前記少なくとも一つの受光部で検出される光が予め定められた基準光量未満または以下の場合に前記治療光源が発光するように制御する。他の実施例において、前記制御部は、前記感知光源が、前記電源スイッチがオンされた後、前記基準時間が経過しなかったり、前記受光部から検出される光量が前記基準光量以上または超過した時は、予め定められた第１光量の強さで出力するように制御し、前記電源スイッチがオンされた後、前記基準時間が経過し、前記受光部から検出される光量が前記基準光量未満または以下の時は、予め定められた第２光量の強さで出力するように制御するが、ここで、前記第１光量の強さは前記第２光量の強さよりも弱い。好ましい実施例によれば、電源表示部をさらに含むが、前記電源表示部は複数のＬＥＤ表示素子を含み、前記制御部は前記電源がオン（ＯＮ）の時に前記複数のＬＥＤ表示素子が持続的にまたは予め定められたパターンによって発光するようにする。
【０００８】
本発明の別の観点によれば、本体、前記本体に組み付けられた一対の挿入ロッド、前記一対の挿入ロッドの内側面に互いに対向して形成されている少なくとも一つの感知光源及び少なくとも一つの受光部、前記一対の挿入ロッド上に形成された少なくとも一つの治療光源を含む鼻炎治療器を制御する方法において、前記本体に電源が供給されたのか否かを判断する段階と；前記本体に電源が供給されると前記感知光源を発光させる段階と；前記少なくとも一つの受光部から検出された光量が予め定められた基準光量未満または以下の場合、前記治療光源を発光させる段階と；を含む鼻炎治療器の制御方法が提供される。
【０００９】
本発明の別の観点によれば、本体、前記本体に組み付けられた一対の挿入ロッド、前記一対の挿入ロッドの内側面に互いに対向して形成されている少なくとも一つの感知光源及び少なくとも一つの受光部、前記一対の挿入ロッド上に形成された少なくとも一つの治療光源を含む鼻炎治療器を制御する方法において、前記本体に電源が供給されたのか否かを判断する段階と；前記本体に電源が供給され始めた後、予め定められた基準時間が経過したのか否かを判断する段階と；前記本体に電源が供給されると前記感知光源を発光させる段階と；前記基準時間が経過し、前記少なくとも一つの受光部から検出された光量が予め定められた基準光量未満または以下の場合に、前記治療光源を発光させる段階と；を含む鼻炎治療器の制御方法が提供される。
【００１０】
本発明の別の観点によれば、本体と；前記本体に組み付けられており、治療のために鼻の中に挿入できるように形成された一対の挿入ロッドと；前記一対の挿入ロッドの端部に形成された少なくとも一つの光源と；前記一対の挿入ロッドの端部に形成された少なくとも一つの受光部と；前記本体内に収納されて前記少なくとも一つの光源、前記少なくとも一つの受光部に電気的に連結されている制御部を含むが、前記制御部は前記電源がオン（ＯＮ）の時に前記光源が第１の強さで光を発生するようにし、前記受光部で検出される光の量の基準光量以上または超過する場合に、前記光源が第２の強さで光を発生するようにする、鼻炎治療器が提供される。
【００１１】
本発明の別の観点によれば、本体と；前記本体に組み付けられており、治療のために鼻の中に挿入できるように形成された一対の挿入ロッドと；前記一対の挿入ロッドのいずれか一方の内側面に形成されている少なくとも一つの感知光源と；前記一対の挿入ロッドのいずれか他方の内側面に形成されて前記感知光源からの光を受信することができる少なくとも一つの受光部と；前記一対の挿入ロッドに形成される少なくとも一つの治療光源と；前記本体上に形成される電源スイッチと；前記本体上に形成される光源動作スイッチと；前記本体内に収納され、前記少なくとも一つの感知光源、前記少なくとも一つの受光部及び前記少なくとも一つの治療光源、前記電源スイッチ、前記光源動作スイッチに連結されている制御部を含むが、前記制御部は、前記電源スイッチの出力、前記受光部の出力、前記光源動作スイッチの出力、経過時間の少なくとも２つの値に基づいて前記少なくとも一つの感知光源及び前記少なくとも一つの治療光源の光出力を制御する、鼻炎治療器が提供される。
【発明の効果】
【００１２】
本発明による鼻炎治療器及び鼻炎治療器の制御方法によれば、鼻炎治療器が鼻の中に挿入された時に治療光源が発光されるようにすることで、使用者の不注意による目などの身体器官の損傷を減少させることができるという利点がある。
【図面の簡単な説明】
【００１３】
【図１】（ａ）は本発明の好ましい一実施例による鼻炎治療器を示す図面であり、（ｂ）は本発明の好ましい一実施例による鼻炎治療器の感知光源１１１及び受光部１０９の位置を説明するための図面である。
【図２】（ａ）及び（ｂ）は本発明の好ましい別の実施例による鼻炎治療器を示したものである。
【図３】（ａ）及び（ｂ）は本発明の好ましい別の一実施例による鼻炎治療器を示す図面である。
【図４】（ａ）は本発明の好ましい一実施例による鼻炎治療器１００の制御部１０５の動作を説明するためのフローチャートであり、（ｂ）は本発明の好ましい別の実施例による鼻炎治療器１００の制御部１０５の動作を説明するためのフローチャートである。
【図５】（ａ）は本発明の好ましい別の実施例による鼻炎治療器を示す図面であり、（ｂ）及び（ｃ）は本発明の好ましい実施例による電源表示部を説明するための図面である。
【図６】本発明の好ましい別の実施例による鼻炎治療器を示す図面である。
【図７】（ａ）及び（ｂ）は本発明の好ましい別の実施例による鼻炎治療器を示す図面である。
【図８】（ａ）及び（ｂ）は本発明の好ましい実施例による鼻炎治療器の動作を説明するための図面である。
【図９】（ａ）乃至（ｃ）は本発明の好ましい実施例による感知光源１１１及び受光部１０９が挿入ロッド１０３ａ、１０３ｂの位置によって互いに対向することに差異があることを説明する図面である。
【図１０】（ａ）乃至（ｃ）は本発明の別の実施例による鼻炎治療器の挿入ロッドに附着した発光部を通じて照射される光の方向を示す図面である。
【図１１−１】（ａ）乃至（ｃ）は本発明の好ましい実施例による鼻炎治療器の感知光源１１１及び受光部１０９の多様な位置を説明するための図面である。
【図１１−２】（ｄ）乃至（ｆ）は本発明の好ましい実施例による鼻炎治療器の感知光源１１１及び受光部１０９の多様な位置を説明するための図面である。
【発明を実施するための形態】
【００１４】
本発明は多様な変更を加えることができ、様々な実施例があり得るところ、特定の実施例を図面に例示し、これを詳細な説明を通じて詳しく説明しようとする。しかし、これは本発明を特定の実施形態に対して限定しようとするのではなく、本発明の思想及び技術範囲に含まれるすべての変更、均等物乃至代替物を含むものと理解されなければならない。本発明を説明することにおいて、関連する公知技術に対する具体的な説明が、本発明の要旨を濁し得る場合、その詳細な説明を省略する。また、本明細書及び請求項において使用される単数表現は、別に言及しない限り、一般的に「一つ以上」を意味することと解釈されなければならない。また、多様な実施例で実質的に同一の構成要素には、同一の図面符号を付与し、重複する説明を省略することができる。
【００１５】
以下、添付した図面を参照して、本発明の実施例をより詳しく説明しようとする。
【００１６】
図１の（ａ）は、本発明の好ましい一実施例による鼻炎治療器を示す図面である。本発明の好ましい実施例による鼻炎治療器は、本体１０１、一対の挿入ロッド１０３ａ、１０３ｂ、電源１０２、制御部１０５、電源スイッチ１０７、感知光源１１１、受光部１０９、少なくとも一つの治療光源１１３ａ、１１３ｂを含んでいる。
【００１７】
図１の（ａ）を参照すると、一対の挿入ロッド１０３ａ、１０３ｂは、本体１０１に組み付けられている。挿入ロッド１０３ａ、１０３ｂには、少なくとも一つの治療光源１１３ａ、１１３ｂが形成されている。図面に図示されたものとは異なり、前記治療光源１１３ａ、１１３ｂは一つだけ形成することもでき、挿入ロッド１０３ａ、１０３ｂ上の複数の所に複数形成することもできる。好ましい実施例によれば、前記治療光源１１３ａ、１１３ｂは、レーザーダイオードであることもでき、ＬＥＤであることもできる。また、前記治療光源１１３ａ、１１３ｂが複数形成される場合、レーザーダイオードとＬＥＤとの組み合わせで形成することもできる。また、前記治療光源１１３ａ、１１３ｂのそれぞれは、全部または一部の発光周波数を同一にすることも、互いに異なるようにすることもできる。本発明の好ましい別の実施例によれば、前記治療光源１１３ａ、１１３ｂから出力される光の周波数は制御部１０５の動作によって制御できる。
【００１８】
図１の（ａ）において、電源スイッチ１０７は、本体上に形成されており、使用者の電源オン／オフの入力をするためのものである。本発明の好ましい別の実施例によれば、前記電源スイッチ１０７は本体１０１上の他の位置に形成できる。電源スイッチ１０７は、押す動作、スライド動作など多様な形態で具現することができることは、当該技術分野の通常の知識を有する者に自明である。また電源スイッチ１０７は他の名称として呼ぶこともできる。例えば、「治療動作」を活性化または非活性化させるスイッチと呼ぶこともできる。
【００１９】
図１の（ｂ）は、本発明の好ましい一実施例による鼻炎治療器の感知光源１１１及び受光部１０９の位置を説明するための図面である。
【００２０】
図１の（ａ）及び（ｂ）を参照すれば、感知光源１１１及び受光部１０９は、前記一対の挿入ロッドの内側面に互いに対向して形成されている。そのようにして、前記感知光源１１１から出力される光が前記受光部１０９で受信されるようにする。本発明の好ましい別の実施例によれば、感知光源１１１及び受光部１０９は一つずつではなく複数に形成できる。ただし、感知光源１１１及び受光部１０９の形成位置は、一対の挿入ロッド１０３ａ、１０３ｂの内側面に実質的に互いに対向されるようにする。実施例によれば、治療光源１１３ａ、１１３ｂが光を発生する場合にも、受光部１０９が治療光源１１３ａ、１１３ｂの光を受光しないか、基準量以下に受光できるように位置を調節するようにする。別の実施例によれば、治療光源１１３ａ、１１３ｂが光を発生する場合にも、受光部１０９が治療光源１１３ａ、１１３ｂの光を受光しないようにするために治療光源１１３ａ、１１３ｂと感知光源１１１の周波数を異なるように設定し、受光部１０９は感知光源１１１の光と周波数が実質的に同一の光のみを受光するようにすることができる。また、感知光源１１１と受光部１０９が製作上の公差または使用上の公差によって、感知光源１１１の光が受光部１０９に到逹することができない問題が発生しないようにするために、受光部１０９を感知光源１１１の光の到達領域よりも広く形成することもできる。
【００２１】
また図１の（ａ）を参照すれば、バッテリーなどの電源１０２は、前記本体１０１内に収納されており、前記制御部１０５に電気的に連結されている。前記制御部１０５はマイクロプロセッサー、半導体チップ、メモリーなど多様な電気素子の少なくとも一つで具現可能であり、前記本体１０１内に収納される。また、好ましい実施例によれば、図面に図示されていないが、前記本体の両側には一対の押し部が形成され、使用者が本体１０１の一対の押し部を両側から押すと、一対の挿入ロッド１０３ａ、１０３ｂの間が広げられて鼻の中に挿入しやすくなるようにすることができる。また、電源１０２を前記本体内に収納して形成する代りに、またはそれとは別に、外部から電源を入力することができる外部電源端子を形成することもできる。
【００２２】
前記制御部１０５は、前記電源１０２及び／または外部電源端子、前記感知光源１１１、前記受光部１０９、前記治療光源１１３ａ、１１３ｂ、前記電源スイッチ１０７に電気的に連結される。前記制御部１０５は、前記電源スイッチ１０７がオン（ＯＮ）になれば、前記感知光源１１１が発光されるようにする。ここで、前記「電源スイッチ１０７がオン（ＯＮ）」という意味は、使用者によって鼻炎治療が始まることを意味する。即ち、使用者によって鼻炎治療が活性化（ＡＣＴＩＶＥ）されたということを意味する。以下、本明細書で特別な事情がない限り、電源がＯＮになったということは、使用者操作によって鼻炎治療が活性化（ＡＣＴＩＶＥ）されることを意味する。これによって、前記受光部１０９は前記感知光源１１１から光を受光するようになる。前記制御部１０５は、前記受光部１０９で検出された光が予め定められた基準光量未満または以下の場合に、前記治療光源１１３ａ、１１３ｂをアクティブさせて発光するように制御する。すなわち、使用者が鼻炎治療器を用いて治療をしようとする場合、先ず電源スイッチ１０７をオン（ＯＮ）にするようになる。電源スイッチ１０７がオン（ＯＮ）になって電源が供給されると、前記感知光源１１１は光を発するようになる。これにより、使用者は感知光源１１１が発光することを見て、鼻炎治療器が動作しているということを視覚的に認知することが可能になる。感知光源１１１から出た光は、受光部１０９で検出される。治療のために、使用者が前記一対の挿入ロッド１０３ａ、１０３ｂを鼻の中に挿入するようになると、前記感知光源１１１からの光は鼻中隔によって遮断されて前記受光部１０９に到逹することができないか、または到逹し難くなる。したがって、前記受光部１０９で検出される光量によって鼻炎治療器が鼻の中に挿入されたのか否かを判断することが可能になる。したがって、前記基準光量は、鼻炎治療器が鼻の中に挿入された時とそうでなかった時とを区別するように予め定めることができる。基準光量を幾らに定めるかは設計事項であって、当該技術分野で通常の知識を有する者には自明である。
【００２３】
図２の（ａ）及び（ｂ）は、本発明の好ましい別の実施例による鼻炎治療器を示すものである。図２の（ａ）及び（ｂ）において、図１の（ａ）と実質的に同一の構成要素には、同一の図面符号を付与し、その説明を省略するものとする。
【００２４】
図２の（ａ）を参照すれば、鼻炎治療器は、本体１０１、一対の挿入ロッド１０３ａ、１０３ｂ、治療光源１１３ａ、１１３ｂ、電源１０２、制御部１０５、電源スイッチ１０７、光源動作スイッチ２０１、光量調節スイッチ２０２を含む。
【００２５】
電源スイッチ１０７は使用者操作によって電源のオン／オフ（ＯＮ／ＯＦＦ）を決定するためのものである。電源スイッチ１０７がオン（ＯＮ）になれば、制御部１０５は治療光源１１３ａ、１１３ｂが予め定められた電源表示の基準光量未満または以下の光を放出するように制御する。したがって、使用者は鼻炎治療器に電源が正常に供給されていることを視覚的に認知することができるようになる。ここで、電源表示の基準光量未満または以下の光量は、使用上の不注意で光が使用者の目に一時的に照射される場合にも、損傷を与える可能性が低くなるように設定する。前記電源スイッチ１０７がオン（ＯＮ）状態で、使用者は鼻炎治療器の挿入ロッドを鼻の中に挿入するようになる。引き続き、使用者によって前記光源動作スイッチ２０１がオン（ＯＮ）になれば、前記制御部は前記治療光源１１３ａ、１１３ｂで出力される光の強さを鼻炎治療に適合する強さに増加させるように制御する。すなわち、制御部１０５は前記電源スイッチ１０７及び前記光源動作スイッチ２０１がすべてオン（ＯＮ）の場合に、前記治療光源１１３ａ、１１３ｂの出力を増加させて鼻炎治療がなされるように制御する。光量調節スイッチ２０２は治療光源１１３ａ、１１３ｂの出力を使用者操作によって増加または減少するように操作することができるスイッチである。光量は段階的に調節することもでき、連続的に調節することもできる。本発明の好ましい別の実施例によれば、図２の（ａ）に図示された鼻炎治療器において、前記光量調節スイッチ２０２は省略できる。
【００２６】
図２の（ｂ）を参照すれば、本発明の別の好ましい実施例による鼻炎治療器は、図２の（ａ）とは異なり、感知光源１１１及び受光部１０９をさらに含んでいる。図２の（ｂ）において、制御部１０５は電源スイッチ１０７がオン（ＯＮ）になれば、前記感知光源１１１が予め定められた基準光量以下の発光をするように制御する。感知光源１１１から出力された光は、前記受光部１０９によって検出される。制御部１０５はまた、前記電源スイッチ１０７がオン（ＯＮ）であって前記光源動作スイッチ２０１もオン（ＯＮ）であって前記受光部から検出された光量が基準光量未満または以下の場合に、前記治療光源１１３ａ、１１３ｂを発光するように制御する。また上記で説明したところのように、前記感知光源１１１が鼻の中の挿入感知だけではなく、治療用でも使用することができる。このために、受光部１０９の出力に基づいて鼻の中に挿入されたのか否かを判断し、鼻の中に挿入された場合には前記感知光源１１１の出力を治療用に増加させるように制御することができる。このように、前記制御部は、電源スイッチ１０７のオン／オフ（ＯＮ／ＯＦＦ）、光源動作スイッチ２０１のオン／オフ（ＯＮ／ＯＦＦ）、受光部１０９に出力の多様な組み合わせに基づいて前記感知光源１１１の出力及び／または前記治療光源１１３ａ、１１３ｂの出力を制御することができる。
【００２７】
図３の（ａ）及び（ｂ）は本発明の好ましい別の一実施例による鼻炎治療器を示す図面である。図３の（ａ）及び（ｂ）を参照すれば、鼻炎治療器１００は通信モジュール１１７をさらに含んでおり、通信モジュール１１７を通じて外部機器からの使用者操作信号を送受信することができる。外部機器３００は、例えば、携帯電話、ノートパソコン、タブレットＰＣ、スマートフォン、ＰＣ、リモートコントローラーなどがある。実施例によれば、外部機器３００は電源調節部３０１を含む。他の実施例によれば、外部機器３００は電源調節部３０１の他に光源調節部３０２及び／または光量調節部３０３を含むことができる。ここで、外部機器３００の電源調節部３０１、光源調節部３０２及び光量調節部３０３は、それぞれ図１の（ａ）乃至図２の（ｂ）に図示された電源スイッチ１０７、光源動作スイッチ２０１及び光量調節スイッチ２０２と実質的に同一の役割をする。よって、制御部１０５は図１の（ａ）乃至図２の（ｂ）で説明したところのように、通信モジュール１１７を通じて入力される電源調節部３０１、光源調節部３０２、光量調節部３０３の出力による制御を行う。
【００２８】
外部機器３００がスマートフォンまたはそれと実質的に同様に作動することができる器機の場合、電源調節部３０１、光源調節部３０２、光量調節部３０３は、アプリケーション（通常、アプリと呼ばれる）として具現することができる。したがって、使用者がｉＰｈｏｎｅのＡｐｐＳｔｏｒｅまたはアンドロイドフォンのＰｌａｙストアなどで鼻炎治療器のアプリケーションをダウンロードして鼻炎治療器１００を操作するようにすることができる。
【００２９】
図４の（ａ）は、本発明の好ましい一実施例による鼻炎治療器１００の制御部１０５の動作を説明するためのフローチャートである。図４の（ａ）を参照すれば、Ｓ４０１段階で電源スイッチ１０７のオン／オフ（ＯＮ／ＯＦＦ）の有無を判断する。電源スイッチ１０７がオン（ＯＮ）だと、Ｓ４０３段階で感知光源１１１に電源を供給して発光するようにする。Ｓ４０５段階では受光部１０９の出力が基準光量未満または以下であるのかを判断する。Ｓ４０５段階の判断結果がｙｅｓだと、Ｓ４０７段階で治療光源１１３ａ、１１３ｂに電源を供給して発光するようにする。治療が終了された後には電源が中止されるようにする。
【００３０】
治療時間の終了は使用者が電源スイッチ１０７及び／または電源調節部３０１を操作して終了させることもでき、予め定められた治療時間が経過されれば自動で終了するようにすることもできる。例えば、５分、１０分、１５分、２０分などの値を予め鼻炎治療器１００に設定することもでき、使用者によって治療時間を設定することもできる。治療時間の設定は外部機器３００を通じて行うこともできる。
【００３１】
図４の（ｂ）は本発明の好ましい別の実施例による鼻炎治療器１００の制御部１０５の動作を説明するためのフローチャートである。図４の（ｂ）を参照すれば、Ｓ４０９段階で電源スイッチ１０７または通信モジュール１１７を通じて入力される電源調節部３０１の値がオン（ＯＮ）なのか否かを判断する。電源がオンだったら、Ｓ４１１段階で治療光源１１３ａ、１１３ｂを第１の強さで発光させる。第１の強さは、使用者の不注意によって光が目に照射される場合にも、目に与える損傷を阻止するために相対的に低い強さに設定するようにする。治療光源１１３ａ、１１３ｂは第１の強さで発光をすれば、視覚的に電源が供給されていることを使用者に認知させる効果がある。使用者は、電源供給を確認して鼻炎治療器１００を鼻の中に挿入するようになる。ここで、使用者が電源供給を確認して鼻の中に鼻炎治療器１００を挿入するのに通常かかる時間を予め予測して指定する必要がある。段階Ｓ４１３では、このような点を考慮して設定された基準時間が経過されたのか否かを判断する。基準時間が経過されると、段階Ｓ４１５で治療光源１１３ａ、１１３ｂを第２の強さで発光させる。ここで、第２の強さは第１の強さよりも強度が強いものであり、鼻炎治療に適合する強度に設定する必要がある。また治療光源１１３ａ、１１３ｂの第２の強さは使用者操作によって、すなわち光量調節スイッチ２０２または光量調節部３０３によって調節することができる。
【００３２】
図５の（ａ）は本発明の好ましい別の実施例による鼻炎治療器を示す図面であり、図５の（ｂ）及び（ｃ）は本発明の好ましい実施例による電源表示部を説明するための図面である。図５の（ａ）乃至（ｃ）を参照すれば、鼻炎治療器１００の本体１０１には、電源表示部５０３が形成されている。好ましい実施例によれば、電源表示部５０３は少なくとも一つのＬＥＤを含む。電源表示部５０３は鼻炎治療器１００に電源が供給されているのか否か及びどのような動作状態なのかを使用者が分かるように表示するためのものである。使用者は治療光源１１３ａ、１１３ｂが発光されている場合には、該光が使用者の目に照射されないように注意を払う必要がある。したがって、鼻炎治療器１００において、電源表示部５０３を通じて使用者に動作状態を知らせ、意図しない光の照射から使用者を保護することで、目の損傷を阻止することができる。図５の（ｂ）は表示部４０１の動作の一実施例である。電源スイッチをオン（ＯＮ）にした場合、一つ目のＬＥＤ表示灯が光る（５０５ａ）。光源動作スイッチがオン（ＯＮ）になった場合、二つ目のＬＥＤ表示灯が一緒に光る（５０５ｂ）。光源の強度に従って、一つ以上の段階において段階毎に一つずつＬＥＤ表示灯がさらに光るようにすることができる（５０５ｃ、５０５ｄ）。図５の（ｃ）は表示部４０１の他の動作実施例である。光が照射される動作過程では、全体のＬＥＤ表示灯が点滅したり（５０５ｅ）、または左側から右側、または右側から左にＬＥＤ表示灯が順に光って消える動作を繰り返す（５０５ｆ）。図５の（ｂ）及び（ｃ）は、電源表示部５０３の表示形態を一部例示したものであり、ＬＥＤ点灯の有無、ＬＥＤ点灯のパターン（例えば、時間による点滅パターンなど）などを用いて電源供給の有無、動作モードなどを多様に表示することができることは、当該技術分野で通常の知識を有する者には自明である。ここで、動作モードというのは、治療光源１１３ａ、１１３ｂが発光しているのか否か、治療光源１１３ａ、１１３ｂの強さが準備状態（第１の強さで発光）なのか治療状態なのか、感知光源１１１が発光しているのか否か、感知光源１１１が感知用の光を発光しているのか、それとも治療用光を発光しているのかなどのように、上記で説明したところのような多様な動作モードを意味することができる。
【００３３】
図６は本発明の好ましい別の実施例による鼻炎治療器を示す図面である。図６を参照すれば、鼻炎治療器１００にはタイマー６０１を含んでいる。このように使用者が操作可能なタイマー６０１を具備する場合、制御部１０５で使用する基準時間及び／または治療時間を使用者が調節することが可能である。
【００３４】
図７の（ａ）及び（ｂ）は、本発明の好ましい別の実施例による鼻炎治療器を示す図面である。一対の挿入ロッドの端部に発光部７０１ａ、７０１ｂ及び受光部７０３ａ、７０３ｂが形成されている。電源が供給されれば、準備状態で発光部７０１ａはスリットまたは孔を通じて基準光量未満または以下の光を出力する。この時、出力される光は、使用者の目を損傷させないか、ほとんど損傷させない光であることが好ましい。挿入ロッドが鼻の中に挿入されない状態で、スリットまたは孔を通じて照射された光は、一般的に空気中で無限に直進するようになる。したがって、挿入ロッドの端に設けられた受光部７０１ｂ、７０３ｂは、光を感知することができない。しかし、使用者が鼻炎を治療するために挿入ロッドを鼻に挿入した後には、鼻の中の肌などを通じて光が反射する。したがって、受光部７０１ｂ、７０３ｂでは、特定波長の光を感知することができる。制御部は、受光部７０１ｂ、７０３ｂで特定波長の光を感知するようになると、前記発光部７０１ａ、７０１ｂが治療用光を照射するようにする。図面に表示されていないが、発光部にはレーザーダイオード及び／またはＬＥＤなどが附着できる。
【００３５】
図８の（ａ）及び（ｂ）は本発明の好ましい実施例による鼻炎治療器の動作を説明するための図面である。図８の（ａ）及び（ｂ）を参照すれば、挿入ロッド内側に発光部８０１及び受光部８０３が形成されている。電源が供給されると、発光部８０１が発光をするようになり、発光部８０１の出力された光は受光部８０３に検出される。受光部８０３で検出された光が基準光量超過または以上の場合には、実際治療用光８０５が照射されないように制御部が制御する。そのようにして、意図しない光の照射による目の損傷を阻止することができる。使用者が鼻炎治療のために挿入ロッドを鼻の中に挿入した場合には、鼻中隔によって光路が遮断されるので受光部８０３で光が検出されないか、基準光量未満または以下に検出される。よって、基準光量を以下または未満の場合に、治療用光８０５が照射されるように制御部が制御するようにする。発光部には少なくとも一つの光源、例えばレーザーダイオード及び／またはＬＥＤなどが含まれることができる。また発光部には少なくとも一つのスリットまたは孔を通じて光を照射することができる。
【００３６】
図９の（ａ）乃至（ｃ）は本発明の好ましい実施例による発光部８０１及び受光部８０３が挿入ロッド１０３ａ、１０３ｂの位置によって互いに対向することに差異があることを説明する図面である。これは、ハサミ構造を有する挿入ロッドの場合、ハサミ構造に加えられる力に従って位置が変わるようになり、それによって発光部８０１と受光部８０３が対向することにズレが発生することができる。したがって、このようなズレにもかかわらず発光部８０１から出力された光が受光部８０３で検出できるように、光の方向を一定の範囲内で放射されるようにする必要がある。
【００３７】
図１０の（ａ）乃至（ｃ）は、本発明の別の実施例による鼻炎治療器の挿入ロッドに附着した発光部を通じて照射される光の方向を示す図面である。発光部を通じて照射される光は一つの直進（図１０の（ａ））の形態で照射することができる。また発光部を通じて照射される光は一つ以上の方向（図１０の（ｂ）、（ｃ）））に照射することができる。挿入ロッドの位置が変わる状況でも、受光部８０３で発光部８０１からの光を検出するようにするためのものである。
【００３８】
また、発光部８０１から出力される光は、挿入ロッドの長手方向に垂直（横方向）及び／または傾斜方向に照射することができる。これは、鼻炎治療器１００製造上で、一対の挿入ロッドが器具的な離隔が発生しても発光部８０１から出力された光を受光部８０３で検出するようにするためである。
【００３９】
図１１の（ａ）乃至（ｆ）は、本発明の好ましい実施例による鼻炎治療器の発光部８０１及び受光部８０３の多様な位置を説明するための図面である。図１１の（ａ）は発光部８０１と受光部８０３と一対一に対応されるように挿入ロッドの内側面に互いに対面して形成されている。図１１の（ｂ）乃至（ｄ）は、一対の挿入ロッドのいずれか一方の内側面に一つの発光部８０１が形成されており、他方の挿入ロッドの内側面に複数、例えば３つ、受光部８０３が形成されていることを図示している。ここで３つの受光部８０３の位置は製造上発生する挿入ロッドのズレ及び／または使用上発生するズレを補正することができるように、挿入ロッドの長手方向及び／またはそれに垂直する方向に少しずつズレるように形成することができる。図１１の（ｅ）及び（ｆ）は、一対の挿入ロッドのいずれか一つの内側に複数の発光部８０１が形成され、他の一つの内側に複数の受光部８０３が形成されている。この場合にも、挿入ロッドが製造上のズレ及び／または使用上のズレを補正するために、複数の発光部８０１及び受光部８０３の位置を挿入ロッドの長手方向及び／または垂直方向に分散して形成することができる。
【００４０】
今まで本発明に対してその実施例を中心に検討した。本発明が属する技術分野で通常の知識を有する者は、本発明が本発明の本質的な特性から外れない範囲で変形された形態で具現できることを理解することができる。したがって、開示された実施例は限定的な観点ではなく、説明的な観点で考慮されなければならない。本発明の範囲は前述の説明ではなく特許請求範囲に示されており、それと同等な範囲内にいるすべての差異は、本発明に含まれたと解釈されなければならない。
【図１】
0006784849.tif 000002
【図２】
0006784849.tif 000003
【図３】
0006784849.tif 000004
【図４】
0006784849.tif 000005
【図５】
0006784849.tif 000006
【図６】
0006784849.tif 000007
【図７】
0006784849.tif 000008
【図８】
0006784849.tif 000009
【図９】
0006784849.tif 000010
【図１０】
0006784849.tif 000011
【図１１−１】
0006784849.tif 000012
【図１１−２】
0006784849.tif 000013